(57)【要約】【課題】画像の表示先を切り替える際に、効果的に電力消費を抑制する。【解決手段】電子ビューファインダーおよび外部ディスプレイを選択的に映像の表示先として設定する際、接眼センサーによる検知結果に応じて表示先を切り替える自動切替モードとユーザー操作に応じて表示先を切り替える手動切替モードとのいずれかが設定される。システム制御部５０は手動切替モードが設定されかつユーザー操作に応じて外部ディスプレイが表示先として設定されると、接眼センサーにおける検知を行わないように制御する。【選択図】図４
2015119259.tif 000002
【特許請求の範囲】
【請求項１】
電子ビューファインダーに映像を供給する供給手段と、前記映像を表示するための外部ディスプレイとを備え、前記供給手段および前記外部ディスプレイに選択的に前記映像を供給して表示制御を行う表示制御装置であって、
前記電子ビューファインダーに対する接眼を検知するための接近検知手段からその検知結果を取得する取得手段と、
前記電子ビューファインダーおよび前記外部ディスプレイを選択的に前記映像の表示先として設定する際、前記接近検知手段による検知結果に応じて前記表示先を切り替える自動切替モードと、ユーザー操作に応じて前記表示先を切り替える手動切替モードとのいずれかを設定する設定手段と、
前記設定手段によって前記手動切替モードが設定され、かつユーザー操作に応じて前記外部ディスプレイが前記表示先として設定された場合に、前記接近検知手段における検知を行わないように制御する制御手段と、
を有することを特徴とする表示制御装置。
【請求項２】
前記制御手段は、前記設定手段によって前記手動切替モードが設定され、かつユーザー操作に応じて前記電子ビューファインダーが前記表示先として設定された場合に、前記接近検知手段による検知を行うように制御することを特徴とする請求項１に記載の表示制御装置。
【請求項３】
前記制御手段は、前記設定手段によって前記手動切替モードが設定され、かつユーザー操作に応じて前記電子ビューファインダーが前記表示先として設定された場合に、前記接近検知手段による検知結果に応じて接眼が検知されると、電子ビューファインダーによる前記映像の表示を行い、前記接眼が検知されないと、前記電子ビューファインダーによる前記映像の表示を行わないように制御することを特徴とする請求項１に記載の表示制御装置。
【請求項４】
前記制御手段は、前記接眼が検知されない場合、所定の時間が経過すると前記電子ビューファインダーによる前記映像の表示を停止するように制御することを特徴とする請求項３に記載の表示制御装置。
【請求項５】
前記制御手段は、前記電子ビューファインダーによる前記映像の表示を停止した際においても、前記接近検知手段をオンとすることを特徴とする請求項３又は４に記載の表示制御装置。
【請求項６】
前記制御手段は、前記接近検知手段による検知が行われない場合には、前記接近検知手段に対する電力供給を抑制することを特徴とする請求項１に記載の表示制御装置。
【請求項７】
前記制御手段は、被写体を撮像する撮像手段で得られたライブビュー画像を、前記映像として前記供給手段および前記外部ディスプレイに選択的に供給することを特徴とする請求項１乃至６のいずれか１項に記載の表示制御装置。
【請求項８】
前記供給手段に前記電子ビューファインダーを接続するための接続手段を有することを特徴とする請求項１乃至６のいずれか１項に記載の表示制御装置。
【請求項９】
前記接近検知手段は前記電子ビューファインダーに備えられていることを特徴とする請求項１乃至７のいずれか１項に記載の表示制御装置。
【請求項１０】
前記電子ビューファインダーに電力を供給する電力供給手段を備えることを特徴とする請求項１乃至８のいずれか１項に記載の表示制御装置。
【請求項１１】
前記電子ビューファインダーには、前記表示先の切り替えを行うための操作部材が備えられていることを特徴とする請求項１乃至９のいずれか１項に記載の表示制御装置。
【請求項１２】
電子ビューファインダーに映像を供給する供給手段と、前記映像を表示するための外部ディスプレイとを備え、前記供給手段および前記外部ディスプレイに選択的に前記映像を供給して表示制御を行う表示制御装置の制御方法であって、
前記電子ビューファインダーに対する接眼を検知するための接近検知手段からその検知結果を取得する取得ステップと、
前記電子ビューファインダーおよび前記外部ディスプレイを選択的に前記映像の表示先として設定する際、前記接近検知手段による検知結果に応じて前記表示先を切り替える自動切替モードと、ユーザー操作に応じて前記表示先を切り替える手動切替モードとのいずれかを設定する設定ステップと、
前記設定ステップで前記手動切替モードが設定され、かつユーザー操作に応じて前記外部ディスプレイが前記表示先として設定された場合に、前記接近検知手段における検知を行わないように制御する制御ステップと、
を有することを特徴とする制御方法。
【請求項１３】
コンピュータを、請求項１乃至１１のいずれか１項に記載された表示制御装置の各手段として機能させるためのプログラム。
【請求項１４】
コンピュータを、請求項１乃至１１のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置、その制御方法、およびプログラム、並びに記憶媒体に関し、特に、接眼して目視する第１の表示部と接眼することなく目視する第２の表示部とを切り替え制御する表示制御装置に関する。
【背景技術】
【０００２】
一般に、デジタルカメラなどの撮像装置において、撮像装置の背面に配置された背面表示部（第２の表示部）の他に、覗き込んで見る（つまり、接眼して目視する）ことができる所謂覗き込み型の電子ビューファインダ（ＥＶＦ：第１の表示部）を備える撮像装置が知られている。
【０００３】
このような撮像装置においては、背面表示部とＥＶＦとを切り替え制御していずれか一方に画像を表示することが行われている。例えば、ＥＶＦに接眼しているか否かを接眼検知センサーで検知して、ＥＶＦへの接眼の有無に応じて表示先を背面表示部とするか又はＥＶＦとするかを切り替えるようにした撮像装置がある（特許文献１参照）。
【先行技術文献】
【特許文献】
【０００４】
【特許文献１】特開２００１−１８６３８４号公報
【発明の概要】
【発明が解決しようとする課題】
【０００５】
ところで、接眼検知センサーを駆動する際には、不可避的に電力を消費する。そして、電池を電源として用いた撮像装置においては、消費電力の増加は駆動可能時間の低下に繋がるので、必要に応じて接眼検知センサーの駆動を停止することが望ましい。
【０００６】
接眼検知センサーによる検知結果に応じて、画像の表示先を切り替える際には、接眼検知センサーを駆動して接眼検知をすることになるが、一方、ユーザーの操作に応じて手動で画像の表示先を切り替える際には、必ずしも接眼検知センサーを駆動する必要はない。ところが、画像の表示先の切り替えを手動で行う場合であっても、接眼検知センサーによって、接眼を検知する方が効果的に電力消費を抑えられることもある。
【０００７】
従って、本発明の目的は、画像の表示先を切り替える際に、効果的に電力消費を抑制することのできる表示制御装置、その制御方法、およびプログラム、並びに記憶媒体を提供することにある。
【課題を解決するための手段】
【０００８】
上記の目的を達成するため、本発明による表示制御装置は、電子ビューファインダーに映像を供給する供給手段と、前記映像を表示するための外部ディスプレイとを備え、前記供給手段および前記外部ディスプレイに選択的に前記映像を供給して表示制御を行う表示制御装置であって、前記電子ビューファインダーに対する接眼を検知するための接近検知手段からその検知結果を取得する取得手段と、前記電子ビューファインダーおよび前記外部ディスプレイを選択的に前記映像の表示先として設定する際、前記接近検知手段による検知結果に応じて前記表示先を切り替える自動切替モードと、ユーザー操作に応じて前記表示先を切り替える手動切替モードとのいずれかを設定する設定手段と、前記設定手段によって前記手動切替モードが設定され、かつユーザー操作に応じて前記外部ディスプレイが前記表示先として設定された場合に、前記接近検知手段における検知を行わないように制御する制御手段と、を有することを特徴とする。
【発明の効果】
【０００９】
本発明によれば、画像（つまり、映像）の表示先を切り替える際に、効果的に電力消費を抑制することができる。
【図面の簡単な説明】
【００１０】
【図１】本発明の実施の形態による表示制御装置を備える撮像装置の一例をその背面側から示す斜視図である。
【図２】図１に示すアクセサリーシューに外付けの電子ビューファインダーを接続した状態を示す斜視図である。
【図３】図１に示すカメラの構成の一例を示すブロック図である。
【図４】図３に示すカメラにおける撮影処理の一例を説明するための図である。
【発明を実施するための形態】
【００１１】
以下、本発明の実施の形態による表示制御装置を備える撮像装置の一例について、図面を参照して説明する。
【００１２】
図１は、本発明の実施の形態による表示制御装置を備える撮像装置の一例をその背面側から示す斜視図である。
【００１３】
図示の撮像装置は、所謂デジタルカメラ（以下単にカメラと呼ぶ）であり、少なくとも静止画の撮影を行うことができる。カメラ１００はその背面側に表示部２８（外部ディスプレイが配置されており、この表示部２８には画像および各種情報が表示される。
【００１４】
なお、ここでは、表示部２８はタッチパネルで構成されており、表示部２８に対する接触（タッチ）を検知することができる。
【００１５】
カメラ１００の上面には電源オンおよび電源オフを切り替える電源スイッチ７２が配置されるとともに、撮影指示を行うためのシャッターボタン６１が配置されている。さらに、カメラ１００の上面には、所謂アクセサリーシュー７５（接続手段および供給手段）が配置されている。
【００１６】
このアクセサリーシュー７５には、例えば、外部ストロボ装置又は外付けの電子ビューファインダー（図１には示さず）などの画像を表示可能な外部機器が着脱可能に接続される。つまり、アクセサリーシュー７５はカメラ１００と外部機器とを接続するためのコネクタである。
【００１７】
表示部２８の右側には、各種モードを切り替えるモードダイアル（モード切替スイッチともいう）６０が配置されるとともに、ユーザーからの各種操作を受け付ける操作部７０が配置されている。
【００１８】
操作部７０にはユーザーからの各種操作を受け付けるための各種スイッチ、ボタン、タッチパネルおよびなどが備えられている。さらに、操作部７０にはコントローラホイール７３が備えられており、このコントローラホイール７３は回転操作に応じた指令を送出する。
【００１９】
図示の例では、カメラ１００には、カメラ１００と外部装置（例えば、ＰＣ：図示せず）とを接続するための接続ケーブル１１１が接続されている。この接続ケーブル１１１はコネクタ１１２によってカメラ１００に接続される。
【００２０】
カメラ１００には記録媒体スロット１２０が形成されており、この記録媒体スロット１２０にはメモリカード又はハードディスクなどの記録媒体２００が収納される。記録媒体スロット１２０に記録媒体２００を収納する際には、カメラ１００に設けられた蓋部１２１を開いて、記録媒体スロット１２０に記録媒体２００を収納する。
【００２１】
図２は、図１に示すアクセサリーシュー７５に外付けの電子ビューファインダー１２２を接続した状態を示す斜視図である。
【００２２】
図示のカメラ１００において、アクセサリーシュー７５に外付けの電子ビューファインダー（以下単にＥＶＦと呼ぶ）１２２を接続すると、後述するようにして、ＥＶＦ１２２はカメラ１００と通信を行ってＥＶＦ１２２の接続状態をカメラ１００に通知する。さらに、カメラ１００からはＥＶＦ７６に表示する画像が転送される。
【００２３】
図示のＥＶＦ１２２は、アクセサリーシュー７５を介してカメラ１００から電源が供給されて駆動する。図示のように、ＥＶＦ１２２には、接眼センサー１２３（接近検知手段）、表示先切り替えボタン１２４（操作部材）、および接眼部１２５が備えられている。
【００２４】
接眼センサー１２３はカメラ１００から電源の供給を受けて駆動する接眼検知部であって、図示はしないが、赤外線を投光する投光部と赤外線を受光する受光部とを有している。そして、接眼センサー１２３は、投光部から赤外線を投光して、接眼部１２５に人物の顔などの物体が近接又は接近する場合に、当該物体で反射した赤外線を受光部で受光する。
【００２５】
接眼部１２５に近づくほど、受光部における受光量が高くなるので、受光部で受光した反射光（赤外線）の受光量に応じて物体が接近しているか否かを判定することができる。例えば、人物が接眼部１２５に接眼している場合には、人物の顔が接眼部１２５に接近しているので、受光部における受光量に応じて接眼中であると判定されることになる。
【００２６】
表示先切り替えボタン１２４は、画像の表示先を表示部２８およびＥＶＦ１２２のいずれか一方に切り替えるための操作部材であり、ユーザーは当該表示先切り替えボタンを操作して（つまり、手動で）画像の表示先を切り替える。
【００２７】
ここでは、表示先切り替えボタン１２４として押しボタンが用いられる。接眼部１２５はユーザーがＥＶＦ１２２に表示された映像を覗き込む（つまり、目視する）ための接眼窓である。
【００２８】
図３は、図１に示すカメラの構成の一例を示すブロック図である。
【００２９】
図３において、カメラ１００は撮影レンズユニット（以下単に撮影レンズと呼ぶ）１０３を備えており、撮影レンズ１０３には、少なくともズームレンズおよびフォーカスレンズが備えられている。
【００３０】
撮影レンズ１０３の後段には絞り機能を備えるシャッター１０１が配置されている。そして、シャッター１０１の後側には、光学像（被写体像）を電気信号（アナログ信号）に変換するＣＣＤ又はＣＭＯＳ素子などの撮像素子を有する撮像部２２が配置されている。撮像部２２の出力であるアナログ信号はＡ／Ｄ変換器２３によってデジタル信号（画像データ）に変換される。
【００３１】
なお、撮影レンズ１０３の前面側にはバリア１０２が配置されており、このバリア１０２は撮影レンズ１０３、シャッター１０１、および撮像部２２などの撮像系を覆って、汚れおよび破損を防止するためのものである。
【００３２】
画像処理部２４はＡ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。
【００３３】
システム制御部５０は当該演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００３４】
さらに、画像処理部２４は撮像の結果得られた画像データを用いて所定の演算処理を行って、当該演算結果に基づいてＴＴＬ方式のＡＷＢ（オートホワイトバランス）処理を行う。
【００３５】
Ａ／Ｄ変換器２３からの出力である画像データは、画像処理部２４およびメモリ制御部１５を介して、或いは直接メモリ制御部１５を介して、メモリ３２に書き込まれる。このメモリ３２は、所定枚数の静止画像又は所定時間の動画像および音声を格納するための十分な記憶容量を備えている。
【００３６】
図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００３７】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８は電子ビューファインダーとして機能し、スルー画像の表示（ライブビュー画像の表示）を行うことができる。
【００３８】
前述のように、アクセサリーシュー７５には、カメラ用外部機器が接続される。ここでは、カメラ用外部機器は、例えば、図２に示すＥＶＦ１２２である。システム制御部５０はアクセサリーシュー７５を介してＥＶＦ１２２を制御する。
【００３９】
つまり、図２で説明したように、アクセサリーシュー７５にＥＶＦ１２２を接続すると、システム制御部５０は、アクセサリーシュー７５を介して画像データを逐次表示して、ＥＶＦ１２２にスルー画像を表示する。
【００４０】
システム制御部５０はカメラ１００全体の制御を司る。不揮発性メモリ５６は、電気的に消去・記録可能なメモリであって、例えば、ＥＥＰＲＯＭが用いられる。不揮発性メモリ５６にはシステム制御部５０の動作用の定数、変数、およびプログラムなどが格納されている。このプログラムには、後述する各種フローチャートを実行するためのプログラムが含まれる。
【００４１】
システムメモリ５２は、例えば、ＲＡＭであり、システム制御部５０は不揮発性メモリ５６から動作用の定数、変数、およびプログラムなどを読み出して、システムメモリ５２に展開する。
【００４２】
なお、メモリ３２に書き込まれた画像データは、システム制御部５０においてファイル化されて、インターフェース（Ｉ／Ｆ）１８を介して記録媒体２００に記録される。また、システム制御部は、メモリ３２、Ｄ／Ａ変換器１３、および表示部２８などを制御することによって表示制御を行う。
【００４３】
システム制御部５０にはシステムタイマー５３が接続されており、システムタイマー５２はシステム制御部５０による各種制御で用いる時間を計測してシステム制御部５０に与える。
【００４４】
前述のモード切替スイッチ６０は、例えば、システム制御部５０の動作モードを静止画記録モード、動画記録モード、および再生モードなどのいずれかに切り替えるためのスイッチである。
【００４５】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００４６】
また、モード切り替えスイッチ６０によって静止画記録モードに一旦切り換えた後、上記のモードのいずれかに操作部７０を用いて切り替えるようにしてもよい。同様に、動画記録モードにも複数のモードが含まれている。
【００４７】
シャッターボタン６１が操作途中（半押し：撮影準備指示）であると、第１のシャッタースイッチ（図示せず）がオンとなって、第１のシャッタースイッチ信号ＳＷ１がシステム制御部５０に与えられる。
【００４８】
これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００４９】
シャッターボタン６１が操作完了（全押し）になると、第２のシャッタースイッチ（図示せず）がオンとなって、第２のシャッタースイッチ信号ＳＷ２がシステム制御部５０に与えられる。
【００５０】
これによって、システム制御部５０は撮像部２２の信号読み出しから記録媒体２００に画像データを書き込むまでの一連の撮像処理の動作を開始する。
【００５１】
表示部２８に表示される種々の機能アイコンを選択操作すると、場面（シーン）毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００５２】
操作部７０においてメニューボタンが操作されると、システム制御部５０は各種設定を行うためのメニュー画面を表示部２８に表示する。ユーザーは表示部２８に表示されたメニュー画面を見て、上下左右の４方向キーおよびＳＥＴボタンを用いて直感的に各種設定を行うことができる。
【００５３】
図１に示すコントローラホイール７３は方向ボタンとともに選択項目を指示する際などに用いられる。コントローラホイール７３を回転操作すると、その操作量に応じた電気的なパルス信号が発生する。システム制御部５０は当該パルス信号に基づいてカメラ１００を制御する。システム制御部５０はパルス信号によってコントローラホイール７３が回転操作された角度およびその回転数を知ることができる。
【００５４】
なお、コントローラホイール７３は回転操作が検出できる操作部材であればどのようなものでもよい。例えば、コントローラホイール７３はユーザーの回転操作に応じてパルス信号を発生するダイヤル操作部材であってもよい。
【００５５】
また、コントローラホイール７３は回転することなく、タッチセンサーよりなる操作部材であってユーザーの指の回転動作などを検出するものであってもよい（所謂タッチホイール）。
【００５６】
電源制御部８０（電力供給手段）は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００５７】
ここでは、電源制御部８０は、システム制御部５０の制御下で、アクセサリーシュー７５に接続されたＥＶＦ１２２に、アクセサリーシュー７５に備えられた電力供給用コネクタ（図示せず）を介して、電源部３０から電力を供給する。
【００５８】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００５９】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００６０】
システム制御部５０には、通信部５４が接続されており、当該通信部５４は、無線又は優先ケーブル（例えば、図１に示す接続ケーブル１１１）によって外部装置（図示せず）に接続される。そして、通信部５４は、システム制御部５０の制御下で、映像信号（つまり、画像データ）および音声信号を外部装置と送受信する。
【００６１】
通信部５４は無線ＬＡＮ（Ｌｏｃａｌ  Ａｒｅａ  Ｎｅｔｗｏｒｋ）又はインターネットと接続可能である。そして、通信部５４は撮像部２２による撮像の結果得られた画像データ（スルー画像を含む）および記録媒体２００に記録された画像データを外部装置に送信可能である。また、通信部５４は、外部装置から画像データおよびその他の各種情報を受信することができる。
【００６２】
システム制御部５０には、姿勢検知部５５が接続されており、姿勢検知部５５は重力方向に対するカメラ１００の姿勢を検知して、当該姿勢検知結果をシステム制御部５０に送る。システム制御部５０は、姿勢検知結果に基づいて撮像部２２による撮像の結果得られたた画像がカメラ１００を横に構えて撮像された画像であるか又は縦に構えて撮像された画像であるかを判別する。
【００６３】
システム制御部５０は、上述のようにして判別したカメラ１００の姿勢を示す向き情報を画像ファイルに付加する。さらに、システム制御部５０は向き情報に応じて画像を回転して記録媒体２００に記録することができる。
【００６４】
なお、姿勢検知部５５として、例えば、加速度センサー又はジャイロセンサーが用いられる。
【００６５】
図４は、図３に示すカメラ１００における撮影処理の一例を説明するための図である。
【００６６】
なお、図４に示すフローチャートに係る処理はシステム制御部５０の制御下で行われる。つまり、システム制御部５０は、不揮発性メモリ５６に記憶されたプログラムをシステムメモリ５２に展開して当該プログラムを実行することによって、図４に示すフローチャートに係る処理を行う。
【００６７】
操作部７０によって撮影モードが設定されると、システム制御部５０は撮影待機状態となる。この際、ユーザーが操作部７０に備えられたメニューボタンを押し下げると、システム制御部５０は、例えば、表示部２８にメニュー画面を表示する。
【００６８】
ユーザーはメニュー画面において表示先に係る設定メニュー項目から、表示先（つまり、ＥＶＦ１２２および表示部２８）の切り替えを手動および自動のいずれとするかを設定することができる。そして、システム制御部５０は、設定された切り替え情報を不揮発性メモリ５６に記録する。
【００６９】
続いて、システム制御部５０は、不揮発性メモリ５６に記録された切り替え情報を参照して、設定メニューにおいてスルー画像の表示先が手動（マニュアル）に設定されている状態であるか否かを判定する。つまり、システム制御部５０は表示先の切り替えが手動切り替え（手動切替モード）であるか否かを判定することになる（Ｓ４０１）。
【００７０】
表示先の切り替えが手動切替モードであると（Ｓ４０１において、ＹＥＳ）、システム制御部５０は、ＥＶＦ１２２に備えられた表示先切り替えボタン１２４が押下げられたか否かを判定する（Ｓ４０２）。
【００７１】
表示先切り替えボタン１２４が押下げられると（Ｓ４０２において、ＹＥＳ）、システム制御部５０は、表示先切り替えボタン１２４の押下げに応じて表示先を外付けＥＶＦ１２２に切り替えるか又は表示部２８に切り替えるかを判定する。そして、システム制御部５０は、表示先がＥＶＦ１２２に切り替えられたか否かを判定する（Ｓ４０３）。
【００７２】
ここでは、表示先切り替えボタン１２４が押下げられる前に表示先がＥＶＦ１２２であった場合には、システム制御部５０は、表示先を表示部２８に切り替えることになる。一方、表示先切換えボタン１２４が押下げられる前に表示先が表示部２８であった場合には、システム制御部５０は、表示先をＥＶＦ１２２に切り替えることになる。
【００７３】
表示先がＥＶＦ１２２に切り替わらないと（Ｓ４０３において、ＮＯ）、つまり、表示先が表示部２８であると、システム制御部５０は、ＥＶＦ１２２を非表示として、接眼センサー１２３に対する通電を停止する（接眼センサー切）。そして、システム制御部５０は表示部２８を表示状態としてライブビュー表示を行う（Ｓ４０４）。その後、システム制御部５０は、後述するＳ４１２の処理に進む。
【００７４】
Ｓ４０４の処理では、システム制御部５０は、電源制御部８０を制御してＥＶＦ１２２の表示部（つまり、接眼部１２５）および接眼センサー１２４に電力を供給しないようにする。
【００７５】
表示先がＥＶＦ１２２に切り替わると（Ｓ４０３において、ＹＥＳ）、つまり、表示先がＥＶＦ１２２であると、システム制御部５０はＥＶＦ１２２にライブビュー表示を行い、接眼センサー１２３を稼働させる（つまり、接眼センサー１２３に電源を供給する）。そして、システム制御部５０は、表示部２８を非表示状態とする（Ｓ４０５）。
【００７６】
続いて、システム制御部５０は、接眼センサー１２３による検知結果に基づいてＥＶＦ１２２に接眼が行われているか（つまり、接眼状態であるか）否かを判定する（Ｓ４０６）。ＥＶＦ１２２が非接眼状態であると（Ｓ４０６において、ＮＯ）、システム制御部５０は、表示先切り替えボタン１２４の押下によって表示先をＥＶＦ１２２に切り替えてから所定の時間（例えば６秒）が経過しているか否かを判定する（Ｓ４０７）。
【００７７】
表示先をＥＶＦ１２２に切り替えてから所定の時間が経過していないと（Ｓ４０７において、ＮＯ）、システム制御部５０はＥＶＦ１２２にライブビュー表示を行った状態で待機する。
【００７８】
一方、表示先をＥＶＦ１２２に切り替えてから所定の時間が経過すると（Ｓ４０７において、ＹＥＳ）、システム制御部５０は、接眼センサー１２３をオン（入）とした状態でＥＶＦ１２２を消灯する（非表示とする：Ｓ４０８）。その後、システム制御部５０は、後述するＳ４１２の処理に進む。
【００７９】
ここでは、ＥＶＦ１２２が表示状態とした後、所定の時間が経過しても接眼が検知されないと、システム制御部５０は接眼センサー１２３をオン状態としつつ、ＥＶＦ１２２を非表示状態とする。つまり、接眼が検知されないと、システム制御部５０は所定の時間だけＥＶＦ１２２を表示状態とする。
【００８０】
このように、ユーザーが表示先切り替えボタン１２４を押し下げて表示先をＥＶＦ１２２に切り替えた直後において非接眼状態であってもＥＶＦ１２２に所定の時間だけライブビュー表示が行われる。
【００８１】
これによって、例えば、ユーザーが非接眼状態で表示先切り替えボタン１２４を押し下げた場合であっても、ＥＶＦ１２２が点灯されるため（表示状態となるため）、ユーザーは、ユーザー操作に応答して表示先が切り替わったことを確認することができる。
【００８２】
この場合には、表示部２８は消灯した状態（非表示状態）であるので、所定の時間が経過すれば、ＥＶＦ１２２および表示部２８ともに非表示状態となる。これによって、非接眼の際には、所定の時間が経過するとＥＶＦ１２２において不要な電力が消費されるという事態を回避することができる。
【００８３】
なお、Ｓ４０６において、ＥＶＦ１２２が接眼状態であると（Ｓ４０６において、ＹＥＳ）、システム制御部５０は、後述するＳ４１２の処理に進む。また、Ｓ４０２において、表示先切り替えボタン１２４が押下げられないと（Ｓ４０２において、ＮＯ）、システム制御部５０は、後述するＳ４１２の処理に進む。
【００８４】
Ｓ４０１において、表示先の切り替えが自動切り替え（自動切替モード）であると（Ｓ４０１において、ＮＯ）、システム制御部５０は、接眼センサー１２３から取得した検出結果に基づいてＥＶＦ１２２に接眼されているか否かを判定する（Ｓ４０９）。
【００８５】
ＥＶＦ１２２が非接眼状態であると（Ｓ４０９において、ＮＯ）、システム制御部５０は、ＥＶＦ１２２を非表示状態として（消灯して）、表示部２８にライブビュー表示する（Ｓ４１０）。
【００８６】
この際には、表示先切り替え設定が自動（オート）であるので、システム制御部５０は接眼センサー１２３をオン（入）として接眼検知動作を継続する。
【００８７】
一方、ＥＶＦ１２２が接眼状態であると（Ｓ４０９において、ＹＥＳ）、システム制御部５０は、ＥＶＦ１２２にライブビュー表示を行い、表示部２８を非表示（消灯）とする（Ｓ４１１）。
【００８８】
この際には、システム制御部５０は、表示先切り替え設定が自動（オート）であるので接眼センサー１２３をオンとして接眼検知動作を継続する。
【００８９】
Ｓ４１０又はＳ４１１の処理に続いて、システム制御部５０は、シャッターボタン６１が半押しされて、第１のシャッタースイッチがオンとなったか否かを判定する（Ｓ４１２）。シャッターボタン６１が半押しされると（Ｓ４１２において、ＹＥＳ）、システム制御部５０は撮影準備処理（例えば、ＡＥ／ＡＦ処理）を行う（Ｓ４１３）。
【００９０】
その後、システム制御部５０は、シャッターボタン６１が全押しされて、第２のシャッタースイッチがオンとなったか否かを判定する（Ｓ４１４）。シャッターボタン６１が全押しされると（Ｓ４１４において、ＹＥＳ）、システム制御部５０は撮影を実行する（Ｓ４１５）。つまり、システム制御部５０は、撮像部２２において撮像を行って画像ファイルを生成し、当該画像ファイルを記録媒体２００に記録する。そして、システム制御部５０はＳ４０１の処理に戻って表示先切り替えが手動であるか否かを判定する。
【００９１】
シャッターボタン６１が全押しされていないと（Ｓ４１４において、ＮＯ）、システム制御部５０は、シャッターボタン６１の半押しが継続しているか否かを判定する（Ｓ４１６）。シャッターボタン６１の半押しが継続していると（Ｓ４１６において、ＹＥＳ）、システム制御部５０は、Ｓ４１４の処理に戻って、シャッターボタン６１が全押しされたか否かを判定する。
【００９２】
一方、シャッターボタン６１の半押しが継続していないと（Ｓ４１６において、ＮＯ）、システム制御部５０は、Ｓ４０１の処理に戻って表示先切り替えが手動であるか否かを判定する。
【００９３】
上述のように、Ｓ４０４の処理においては、システム制御部５０はＥＶＦ１２２の表示部および接眼センサー１２３に電力を供給しないように電源制御部８０を制御する。ここでは、表示先の切り替えが手動であり、表示先がＥＶＦ１２２に切り替えられていないので、たとえＥＶＦ１２２に接眼したとしてもＥＶＦ１２２を非表示としておけばよい。
【００９４】
このようにして、Ｓ４０４の処理においては、接眼センサー１２３に対する電力の供給も行われないので、消費電力の浪費を確実に抑制するができる。
【００９５】
一方、表示先の切り替えが手動であっても、表示先がＥＶＦ１２２に切り替えられると、接眼センサー１２３に電力を供給して接眼センサー１２３を駆動する。ここでは、表示先がＥＶＦ１２２であってもユーザーが接眼していない状態（ユーザーがＥＶＦ１２２を見ていない状態）では、ＥＶＦ１２２を消灯して電力消費を抑える。
【００９６】
つまり、Ｓ４０８の処理においては、接眼センサー１２３に対する電力供給を断として節電するよりも、ＥＶＦ１２２に表示先を切り替えているので、ユーザーが接眼することを考慮して、接眼センサー１２３には通電を行って所定の時間が経過するとＥＶＦ１２２は消灯する方が、節電効果が高いことになる。
【００９７】
このように、本発明の実施の形態では、スルー画像の表示先をＥＶＦ１２２と表示部２８とにおいて選択的に切り替える際、効果的に電力消費を抑えることができる。
【００９８】
上述の実施の形態では、外付けのＥＶＦを用いた例を説明したが、外付けＥＶＦに代えて、内蔵のＥＶＦ（つまり、カメラ１００と一体のＥＶＦおよび接眼センサー）においても同様にして適用することができる。
【００９９】
また、図３に示す例では、少なくとも電源部３０、電源制御部８０、システム制御部５０、表示部２８、およびアクセサリーシュー７５が表示制御装置を構成する。
【０１００】
なお、システム制御部５０による制御は１つのハードウェアが行ってもよいし、複数のハードウェアが処理を分担することで、装置全体の制御を行ってもよい。
【０１０１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０２】
また、上述した実施形態においては、本発明をデジタルカメラなどの撮像装置に適用した場合を例にして説明したが、これはこの例に限定されず、撮像部を備えて、当該撮像部で得られた画像を外付け電子ファインダーに表示する電子機器であれば適用可能である。すなわち、本発明は、撮像部を備えるパーソナルコンピュータやＰＤＡ、および携帯電話端末などに適用可能である。
【０１０３】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１０４】
１５  メモリ制御部
２２  撮像部
２４  画像処理部
２８  表示部
３２  メモリ
５０  システム制御部
６１  シャッターボタン
７０  操作部
７５  アクセサリーシュー
２００  記録媒体
【図１】
2015119259.tif 000003
【図２】
2015119259.tif 000004
【図３】
2015119259.tif 000005
【図４】
2015119259.tif 000006